(57)【要約】【課題】赤外線信号を受信する受信部を効率よく配置でき、かつ蛍光灯等の外来ノイズの影響を受けにくい換気装置を提供することを目的とする。【解決手段】調理機器１の上方に設置され、調理時に発生する油煙を屋外へ排出する送風機２を備え調理機器１と連動運転する換気装置において、送風機２の運転を設定するための操作スイッチ部６と、調理機器１から送信される赤外線信号を受信する受信部９とを備え、受信部９を操作スイッチ部６の押釦の背面側に配置し、調理機器１から送信される赤外線信号を赤外線フィルター１３を介して受信する構成としたことにより、赤外線信号を受信する受信部を効率よく配置でき、かつ蛍光灯等の外来ノイズの影響を受けにくくすることができる。【選択図】図５
2005265215.tif 000002
【特許請求の範囲】
【請求項１】
調理機器の上方に設置され、調理時に発生する油煙を屋外へ排出する送風機を備え前記調理機器と連動運転する換気装置において、前記送風機の運転を設定するための操作スイッチ部と、前記調理機器から送信される赤外線信号を受信する受信部とを備え、前記受信部を前記操作スイッチ部の押釦の背面側に配置したことを特徴とする換気装置。
【請求項２】
調理機器から送信される赤外線信号を赤外線フィルターを介して受信することを特徴とする請求項１記載の換気装置。
【請求項３】
操作スイッチ部の押釦の内壁に受信部を覆うように赤外線フィルターを設けたことを特徴とする請求項２記載の換気装置。
【請求項４】
受信部の受信面における頂部を、スイッチ操作部の操作面に対して下方に向けて０°〜９０°の範囲内に設けたことを特徴とする請求項１〜３のいずれかに記載の換気装置。
【請求項５】
操作スイッチ部の操作面を下方へ向け傾斜させて設けたことを特徴とする請求項１〜４のいずれかに記載の換気装置。
【請求項６】
受信部を押釦の中心から位置をずらせて配置したことを特徴とする請求項１〜５のいずれかに記載の換気装置。
【請求項７】
受信部を押釦の中心より上方に位置させたことを特徴とする請求項１〜５のいずれかに記載の換気装置。
【請求項８】
操作スイッチ部の押釦が押されたときに可動する前記押釦の支点を前記押釦の中心より上方に設けたことを特徴とする請求項１〜７のいずれかに記載の換気装置。
【請求項９】
操作スイッチ部の押釦が押されたときに作動するタクトスイッチを押釦の背面側の下方に設け、受信部を前記タクトスイッチより上方に配設したことを特徴とする請求項１〜８のいずれかに記載の換気装置。
【請求項１０】
操作スイッチ部の操作面に対する受信部の角度を可変自在とすることを特徴とする請求項１〜９のいずれかに記載の換気装置。
【請求項１１】
受信部を支持するプリント基板の表面の色を白色系として赤外線信号を反射させることを特徴とする請求項１〜１０のいずれかに記載の換気装置。
【請求項１２】
受信部を操作スイッチ部の「切」もしくは「停止」の押釦の背面側に配置したことを特徴とする請求項１〜１１のいずれかに記載の換気装置。
【発明の詳細な説明】
【技術分野】
【０００１】
本発明は、赤外線信号による遠隔操作が可能な換気装置に関する。
【背景技術】
【０００２】
近年、住宅設備のバリアフリー化にともない、台所や厨房などにおいて、調理時に発生する油煙を排出する換気装置を操作するために、使用者の手の届く範囲の低い位置に固定されたリモートコントローラーから赤外線信号が送信されることによる遠隔操作により、もしくは調理用コンロの操作に連動して赤外線信号が送信されることにより運転するタイプの換気装置が普及している。
【０００３】
従来、この種の換気装置は、台所や厨房などの比較的高い場所に設置された換気装置の外郭に、赤外線信号が入射可能である専用の受信窓を設け、その背面側に受信部が配置され赤外線信号を受信する構成のものが主流であった（例えば、特許文献１参照）。
【０００４】
以下、その換気装置の構成について図１２および図１３を参照しながら説明する。
【０００５】
図１２および図１３に示すように、調理時に発生する油煙を排出するように内部に送風機１０１を設けたフード形状の本体１０２の前面にスイッチ操作部１０３を配置し、スイッチ操作部１０３に配置された運転モードを設定するための運転モード押釦１０４とは別に専用の受光窓１０５を設け赤外線信号を受信する構成としていた。
【特許文献１】特開２００３−２９４３００号公報
【発明の開示】
【発明が解決しようとする課題】
【０００６】
このような従来の換気装置では、受信窓の背面に受信部を配置するための専用の部品配置スペースが必要であり、操作スイッチ部の小型化が図れないという課題があった。
【０００７】
また、天井等に設置された照明機器から発生するノイズを遮断するために、特定の波長の赤外線線以外を透過しにくい材質で形成された赤外線フィルターが受信窓には不可欠である。前記赤外線フィルターは色調が少ないため、本体外郭との調和がとりづらく、機器の外観を損なうという課題があった。
【０００８】
本発明は、このような従来の課題を解決するもので、専用の受信窓を不要とし部品を効率よく配置でき、省スペース化を図ることができるのできる換気装置を提供することを目的とする。
【０００９】
また、機器の外観を損なうことのなく、かつ外来ノイズの影響を受けにくい換気装置を提供することを目的とする。
【課題を解決するための手段】
【００１０】
上記目的を達成するために、本発明は、調理機器の上方に設置され、調理時に発生する油煙を屋外へ排出する送風機を備え前記調理機器と連動運転する換気装置において、前記送風機の運転を設定するための操作スイッチ部と、前記調理機器から送信される赤外線信号を受信する受信部とを備え、前記受信部を前記操作スイッチ部の押釦の背面側に配置したものである。
【００１１】
また、調理機器から送信される赤外線信号を赤外線フィルターを介して受信する構成としたものである。
【００１２】
また、操作スイッチ部の押釦の内壁に受信部を覆うように赤外線フィルターを設けたものである。
【００１３】
また、受信部の受信面における頂部を、スイッチ操作部の操作面に対して下方に向けて０°〜９０°の範囲内に設けたものである。
【００１４】
また、操作スイッチ部の操作面を下方へ向け傾斜させて設けた構成としたものである。
【００１５】
また、受信部を押釦の中心から位置をずらして配置させた構成としたものである。
【００１６】
また、受信部を押釦の中心より上方に位置させた構成としたものである。
【００１７】
また、操作スイッチ部の押釦が押されたときに可動する前記押釦の支点を前記押釦の中心より上方に設けた構成としたものである。
【００１８】
また、操作スイッチ部の押釦が押されたときに作動するタクトスイッチを押釦の背面側の下方に設け、受信部を前記タクトスイッチより上方に配設する構成としたものである。
【００１９】
また、操作スイッチ部の操作面に対する受信部の角度を可変自在とする構成としたものである。
【００２０】
また、受信部を支持するプリント基板の表面の色を白色系として赤外線信号を反射させる構成としたものである。
【００２１】
また、受信部を操作スイッチ部の「切」もしくは「停止」の押釦の背面側に配置したものである。
【発明の効果】
【００２２】
以上のように本発明の換気装置によれば、専用の受信窓を不要とし、部品を効率よく配置でき、省スペース化を図ることができる。
【００２３】
また、機器の外観を損なわず、かつ外来ノイズの影響を受けにくくすることができる。
【発明を実施するための最良の形態】
【００２４】
本発明の請求項１記載の換気装置は、調理機器の上方に設置され、調理時に発生する油煙を屋外へ排出する送風機を備え前記調理機器と連動運転する換気装置において、前記送風機の運転を設定するための操作スイッチ部と、前記調理機器から送信される赤外線信号を受信する受信部とを備え、前記受信部を前記操作スイッチ部の押釦の背面側に配置したものであり、光を透過する材質で形成され運転操作を設定できる押釦を通して操作スイッチ部の背面側で、赤外線信号を受信する構成としたので、専用の受信窓を不要にできるという作用を有する。
【００２５】
また、請求項２記載の発明は、請求項１記載の換気装置において、調理機器から送信される赤外線信号を赤外線フィルターを介して受信するものであり、外部からのノイズの影響を受けにくいという作用を有する。
【００２６】
また、請求項３記載の発明は、請求項２記載の換気装置において、操作スイッチ部の押釦の内壁に受信部を覆うように赤外線フィルターを設けたものであり、光を透過する材質で形成され運転操作を設定するための押釦の内壁側に照明機器などから発する外来ノイズを透過しにくい材質で形成された赤外線フィルターを設けて赤外線信号を受信するので、色調の少ない赤外線フィルターを露出せず機器の外観を損なわないとともに、外部からのノイズの影響を受けにくいという作用を有する。
【００２７】
また、請求項４記載の発明は、請求項１〜３のいずれかに記載の換気装置において、受信部の受信面における頂部を、スイッチ操作部の操作面に対して下方に向けて０°〜９０°の範囲内に設けたものであり、赤外線信号の入射方向に垂直に近い角度に受信面の頂部を配置することができ、受信性が向上するという作用を有する。
【００２８】
また、請求項５記載の発明は、請求項１〜４のいずれかに記載の換気装置において、操作スイッチ部の操作面を下方へ向け傾斜させて設けたものであり、下方から操作する使用者に対して、スイッチ操作し易い角度に押釦を配置できるとともに受信性が向上するという作用を有する。
【００２９】
また、請求項６記載の発明は、請求項１〜５に記載の換気装置において、受信部を押釦の中心から位置をずらして配置させたものであり、押釦の操作による表面の汚れが起因する受信性の劣化を軽減し、押釦の過度の押圧操作による受信部の破損を防止できるという作用を有する。
【００３０】
また、請求項７記載の発明は、請求項１〜５のいずれかに記載の換気装置において、受信部を押釦の中心より上方に位置させたものであり、下方へ向いている受信面への赤外線信号の入射角度を広角に設定することができ、受信性が向上するという作用を有する。
【００３１】
また、請求項８記載の発明は、請求項１〜７のいずれかに記載の換気装置において、操作スイッチ部の押釦が押されたときに可動する前記押釦の支点を前記押釦の中心より上方に設けたものであり、使用者が操作する比率の高い押釦の中心もしくは下方においては十分なストロークを確保しやすくなるという作用を有する。
【００３２】
また、請求項９記載の発明は、請求項１〜８のいずれかに記載の換気装置において、操作スイッチ部の押釦が押されたときに作動するタクトスイッチを押釦の背面側の下方に設け、受信部を前記タクトスイッチより上方に配設したものであり、押釦の中で下方から操作する使用者が押す比率の高い押釦の中心部もしくは下部に近い箇所にタクトスイッチを配置できるので、押釦のクリック性が向上するという作用を有する。
【００３３】
また、請求項１０記載の発明は、請求項１〜９のいずれかに記載の換気装置において、操作スイッチ部の操作面に対する受信部の角度を可変自在とするものであり、赤外線信号の入射方向にフレキシブルに受信部の受信面を向けることができ、受信性が向上するという作用を有する。
【００３４】
また、請求項１１記載の発明は、請求項１〜９のいずれかに記載の換気装置において、受信部を支持するプリント基板の表面の色を白色系として赤外線信号を反射させるものであり、減衰して押釦の内部に入射した赤外線信号のプリント基板面での反射を促進するという作用を有する。
【００３５】
また、請求項１２記載の発明は、請求項１〜１１のいずれかに記載の換気装置において、受信部を操作スイッチ部の「切」もしくは「停止」の押釦の背面側に配置したものであり、操作スイッチ部の複数ある押釦の中で運転状況を使用者にＬＥＤの光などで知らしめる必要のない「切」もしくは「停止」の押釦の背面側に活用するので、ＬＥＤを実装する必要のない空きスペースを有効活用して受信部を配置できるという作用を有する。
【００３６】
以下、本発明の実施の形態について図１〜図１１を参照しながら説明する。
【００３７】
（実施の形態１）
図１〜図５に示すように、ガスコンロ、ＩＨコンロなどの調理機器１の上方に設置される換気装置には、調理時に発生する油煙等を排出する送風機２と、前記送風機２と油煙を屋外へ導く配管ダクトからなる送風機ユニット３と、調理時に発生した油煙を捕集するフード部４と、前記調理機器１を照射する照明５と、前記フード部４の前面に前記送風機２および照明５の動作モードを設定する操作スイッチ部６とを設け、操作スイッチ部６には光を透過する材質で形成され、役割として送風機２の運転を停止する「切」押釦６ａと、送風機２の風量を切り替える「弱」押釦６ｂ、「中」押釦６ｃ、「強」押釦６ｄと、照明５を点灯または消灯する「照明」押釦６ｅとを設ける。
【００３８】
「切」押釦６ａの背面に配置されたプリント基板７上には、前記調理機器１を使用者が操作した際に調理機器１内に設置された送信部８から調理機器１の前面もしくは天面方向に送信され、使用者の指、手のひら、身体または後方の壁等（例えば、壁、収納庫、冷蔵庫、食器棚）の反射体を介して反射して到達する赤外線信号もしくは反射体を介さずに到達する信号のいずれかを受信可能な受信部９を設ける。受信部９は半円球状の受信面１０を備え、プリント基板７に対して垂直方向に押釦の背面側の中央付近に実装されており、受信面１０が下方を向く構成である。
【００３９】
「弱」押釦６ｂ、「中」押釦６ｃ、「強」押釦６ｄ、「照明」押釦６ｅの背面に配置されたプリント基板７上には使用者に現在の運転状況を知らしめるＬＥＤ１１を押釦背面側の中央付近に設け、「切」押釦６ａ、「弱」押釦６ｂ、「中」押釦６ｃ、「強」押釦６ｄ、「照明」押釦６ｅの操作を確定するタクトスイッチ１２を押釦の背面側の下方のプリント基板７上に設け、前記押釦の下方からタクトスイッチ１２に向かって伸びた突起物によりタクトスイッチ１２が押される構成である。
【００４０】
換気装置の金属製のフード部４の前面には開口部（図示せず）が備えられ、その開口部に「切」押釦６ａ、「弱」押釦６ｂ、「中」押釦６ｃ、「強」押釦６ｄ、「照明」押釦６ｅをはめ込むように設ける。各押釦は使用者が操作し易いようにフード部４前面から若干突出するよう設ける。
【００４１】
操作スイッチ部６に設けられた受光窓としての機能を合わせ持つ「切」押釦６ａは、光を透過しなければならないので、透過減衰率が少なく、かつ使用者が頻繁に操作する操作面でもあるので、耐衝撃性も兼ね備えたアクリルもしくはポリカーボネート等の樹脂材料が望ましい。「切」押釦６ａ以外の押釦をＬＥＤ１１の発光により光らせ使用者に現在の運転モードを知らしめる必要がある場合は、部品点数を削減するためにも「切」押釦６ａと一体成形品とすることが望ましいが、押釦と離れた別の箇所にＬＥＤ１１を配置して点灯させ運転表示する場合は光を透過する材質でなくても良い。
【００４２】
蛍光灯などの照明機器などから発する外来ノイズを透過しにくい材質で形成された赤外線フィルター１３を「切」押釦６ａの内壁に密着させ、かつ受信部９を覆うように設け構成する。
【００４３】
上記構成において、換気装置は使用者が操作スイッチ部６に設けられた「切」押釦６ａ、「弱」押釦６ｂ、「中」押釦６ｃ、「強」押釦６ｄ、「照明」押釦６ｅを操作した場合は、各スイッチの背面に設けられたタクトスイッチ１２がスイッチ操作を認識し、送風機２および照明５を運転または停止するとともに、「切」押釦６ａ以外の各運転モードスイッチの背面に設けられたＬＥＤ１１を点灯することにより現在の運転状況が認識できるようにする。使用者が調理機器１を操作した場合は、調理機器１の操作に連動して送信された赤外線信号を「切」押釦６ａの背面に設けられた受信面１０が照明機器から発する外来ノイズを透過しにくい材質で形成された赤外線フィルター１３を介して受信し、その操作信号に応じて送風機２および照明５を運転または停止が行うとともに、「切」押釦６ａ以外の各押釦の背面に設けられたＬＥＤ１１を点灯する。
【００４４】
このように本発明では、「切」押釦６ａを受信窓と併用としたので、受信部を効率よく配置することができ、機器の小型化が可能となる。また、「切」押釦６ａ背面側に赤外線フィルター１３を設け外部に露出させない構成としたので、機器の外観を損なうことがなくなる。また、受信部９は押釦の中心から位置をずらして配置させる構成とし、これにより、押釦の繰り返しの操作による表面の汚れが起因する受信部９の受信性劣化を軽減し、押釦の過度の押圧操作による受信部９の破損も防止することができる。
【００４５】
また、図６に示すように、別の操作スイッチ部の構成としては、プリント基板７を固定するネジ用ボスを操作面１７に対して傾斜させ、その上にプリント基板７を配置し固定する構成とすることで、受信部９の受信面１０の頂部１０ａを、操作スイッチ部６の操作面１７に対して下方へ向けて０°〜９０°（０°＜Ａ＜９０°）の範囲を含むように配置できる構成とする。一般的に、受信部９は半円球の受信面１０をもち、その受信面１０の中央に向かって真正面に入射する赤外線信号に対して最も応答特性が良く、受信面１０の中央からの入射角度が大きくなればなるほど応答特性が減衰するという指向性を有している。これらの特性を踏まえて、換気装置よりも上方に備え付けられた台所や厨房全体を照らす蛍光灯などの照明機器から発生するノイズの影響を極力受けないように、操作面１７に対して下方に向けて０°〜９０°（０°＜Ａ＜９０°）の範囲に受信面１０の頂部１０ａを向けるよう配置する。なお、その他の構成は実施の形態１と同様である。
【００４６】
このように本発明では、受信部９の受信面１０の頂部１０ａに対して垂直方向、すなわち応答性が優れている方向に赤外線信号の入射方向を近づける構成としたので、押釦の大きさおよび形状を問わずに受信性能を確保することができる。
【００４７】
また、図７に示すように、別の操作スイッチ部の構成としては、フード部４の前面を下方に傾斜させる構成とする。ここでは押釦の周辺のみ傾斜させても良い。要は、使用者が操作する押釦が下方に向けて傾斜していれば良いこととなる。なお、その他の構成は実施の形態１と同様である。
【００４８】
このように本発明では、押釦を下方に向ける構成としたので、使用者が操作スイッチ部６の押釦を操作しやすくなるとともに、換気装置よりも上方に備え付けられた台所や厨房全体を照らす蛍光灯などの照明機器に対して、受信部９の受信面１０が背を向けるようにしたので、照明機器から発する外来ノイズの影響も受けにくくすることができる。
【００４９】
また、図８に示すように、別の操作スイッチ部の構成としては、受信部９の受信面１０を押釦の中心より上方、詳しく言えばプリント基板７上のタクトスイッチ１２から離れる位置に配置する構成とする。なお、その他の構成は実施の形態１と同様である。
【００５０】
このように本発明では、受信部９の受信面１０への赤外線信号の入射角度を広角に設定できるので、受信性能を向上させることができる。
【００５１】
また、図９および図１０に示すように、別の操作スイッチ部の構成としては、操作スイッチ部６の押釦が押されたときに可動する前記押釦の支点１４を前記押釦の上部に設け、タクトスイッチ１２を前記押釦の下部のプリント基板７上に設け、前記支点とタクトスイッチ１２との間でかつ押釦の中央部のプリント基板７上に受信部９を設ける構成とする。ここで、支点１４とは、「切」押釦６ａ、「弱」押釦６ｂ、「中」押釦６ｃ、「強」押釦６ｄ、「照明」押釦６ｅと、それら各押釦の外側に位置する押釦の外枠１５との接続部であり、ヒンジ形状に形成している。なお、その他の構成は実施の形態１と同様である。
【００５２】
このように本発明では、一般的に使用者の目線より比較的高い場所にあることが多い操作スイッチ部６を使用者が操作する際には、押釦の中心もしくは中心より下方を操作することが多くなり、その頻度の高い箇所から支点１４を離した位置に配置することで、操作時のクリック感は良くなり、操作性を向上させることができる。
【００５３】
また別の操作スイッチ部６の構成として、受信部９を実装しているプリント基板７に歯車機構を接続し、操作スイッチ部６の裏側に前記歯車の一部を突出させ、前記歯車を回すことによりプリント基板７の角度を可変自在な構成とする。このように構成することで、操作スイッチ部６の操作面１７に対する受信部９の受信面１０の角度を変更自在とすることができる。なお、その他の構成は実施の形態１と同様である。
【００５４】
このように本発明では、調理機器後方の壁、収納庫、冷蔵庫、食器棚などの反射体による赤外線信号の反射を設置状況、間取り、反射体の色調などの外的要因の影響で期待できない場合に、人体の反射時のみ受信するように赤外線信号の入射角度に合わせるよう受信部９の受信面１０を使用者が容易に可変できる構成とすることで、設置状況および間取りなどの外的要因に影響を受けず、受信性能を確保することができる。
【００５５】
また、図１１に示すように、別の操作スイッチ部の構成としては、受信部９の端子部周辺のプリント基板７上に白色系もしくは光を反射しやすい色のシルク印刷１６を施す。押釦と同等の形状で印刷するのが望ましいが、下方から入射してくる赤外線信号を効率よく反射させる必要があるので、受信部９の端子部周辺のプリント基板７上で、かつ受信面１０側のみの印刷でも良い。また、通常プリント基板７上に実装される電子部品の番号等を表示するために施すシルク印刷と共用するのがコスト面からも望ましいが、これに限定するものではなく光の反射を促すものであれば良い。なお、その他の構成は実施の形態１と同様である。
【００５６】
このように本発明では、押釦と赤外線フィルター１３を介して若干減衰して受信部９の周辺に入射した赤外線信号を、さらにプリント基板７と押釦との間で反射しやすくし受信面１０の受信可能角度に導きやすくすることで受信性能を向上させることができる。
【産業上の利用可能性】
【００５７】
本発明にかかる換気装置は、赤外線信号を受信するための受信部専用の受信窓を不要とし、受信部を押釦の背面に効率よく配置して、外来ノイズを遮断する赤外線フィルターを介して受信する構成とすることから、機器あるいは電装部の小型化が求められるケースに有効であるとともに、周囲の照明機器等からの外来ノイズの影響など外的要因による受信性能の低下を極力抑制しなければならないケース、もしくは赤外線信号の送信元が固定され確実に受信性能を確保しなければならない機器において有用である。また、調理台の上方に設置される換気装置に限らず、リモートコントローラー等を用いて遠隔操作が可能である換気装置全般について採用しても同様の効果を奏する。
【図面の簡単な説明】
【００５８】
【図１】本発明の実施の形態１の換気装置の構成を示す側断面図
【図２】同換気装置の構成を示す正面図
【図３】同換気装置の操作スイッチ部を示す正面図
【図４】同換気装置の操作スイッチ部の内部構成を示す正面図
【図５】同換気装置の受信部を示す断面図
【図６】同換気装置の受信部を傾斜させた場合の構成を示す断面図
【図７】同換気装置の操作面を傾斜させた場合の構成を示す断面図
【図８】同換気装置の受信部を上方に配置した場合の構成を示す正面図
【図９】同換気装置の押釦の構成を示す断面図
【図１０】同換気装置の押釦の構成を示す正面図
【図１１】同換気装置の受信部の周辺を示す正面図
【図１２】従来の換気装置を示す正面図
【図１３】同換気装置のスイッチ部を示す正面図
【符号の説明】
【００５９】
１    調理機器
２    送風機
３    送風機ユニット
６    操作スイッチ部
９    受信部
１０  受信面
１２  タクトスイッチ
１３  赤外線フィルター
１４  支点
１５  外枠
１６  シルク印刷
１７  操作面
【図１】
2005265215.tif 000003
【図２】
2005265215.tif 000004
【図３】
2005265215.tif 000005
【図４】
2005265215.tif 000006
【図５】
2005265215.tif 000007
【図６】
2005265215.tif 000008
【図７】
2005265215.tif 000009
【図８】
2005265215.tif 000010
【図９】
2005265215.tif 000011
【図１０】
2005265215.tif 000012
【図１１】
2005265215.tif 000013
【図１２】
2005265215.tif 000014
【図１３】
2005265215.tif 000015